(57)【要約】【課題】太陽電池パネルの冠雪を抑制することができる太陽電池構造体を提供する。【解決手段】太陽電池パネルを有するパネル構造体と、パネル構造体を傾斜した状態で支持する架台とを備える太陽電池構造体であって、架台は、パネル構造体を支持する支持面を有し、太陽電池構造体は、支持面の傾斜方向下側の端部から、太陽電池パネル上の所定の部分までの領域を少なくとも覆うカバーを更に備える、太陽電池構造体。【選択図】図１
2020167931.tif 000002
【特許請求の範囲】
【請求項１】
太陽電池パネルを有するパネル構造体と、前記パネル構造体を傾斜した状態で支持する架台とを備える太陽電池構造体であって、
前記架台は、前記パネル構造体を支持する支持面を有し、
前記太陽電池構造体は、前記支持面の傾斜方向下側の端部から、前記太陽電池パネル上の所定の部分までの領域を少なくとも覆うカバーを更に備える、太陽電池構造体。
【請求項２】
太陽電池パネルを有するパネル構造体と、前記パネル構造体を傾斜した状態で支持する架台とを備える太陽電池構造体であって、
前記太陽電池構造体は、前記パネル構造体の傾斜方向下側の端面を少なくとも覆うカバーを更に備える、太陽電池構造体。
【請求項３】
前記カバーは、前記架台の傾斜方向下側の端面も更に覆う、請求項１に記載の太陽電池構造体。
【請求項４】
前記パネル構造体は更にフレームを備え、
前記太陽電池パネルは前記フレームを介して前記架台に固定されている、請求項１〜３のいずれか１項に記載の太陽電池構造体。
【請求項５】
前記フレームは、傾斜方向下側の端部において前記太陽電池パネルよりも傾斜面垂直方向上側に突出した突出部を備え、前記カバーは前記突出部を覆う、請求項４に記載の太陽電池構造体。
【請求項６】
前記カバーは前記太陽電池構造体に着脱可能に取り付けられている、請求項１〜５のいずれか１項に記載の太陽電池構造体。
【請求項７】
前記カバーは、更に引掛部を備え、前記引掛部が太陽電池構造体の所定部分に引っ掛かることにより取り付けられている、請求項６に記載の太陽電池構造体。
【請求項８】
前記カバーは、更に嵌込部を備え、前記嵌込部が太陽電池構造体の所定部分に嵌め込まれることにより取り付けられている、請求項６に記載の太陽電池構造体。
【請求項９】
前記カバーはシート状である請求項１〜８のいずれか１項に記載の太陽電池構造体。
【請求項１０】
前記カバーはオイルブリード性を有する請求項１〜９のいずれか１項に記載の太陽電池構造体。
【請求項１１】
前記カバーはオイル含有層を備える、請求項１０に記載の太陽電池構造体。
【請求項１２】
太陽電池パネルを有するパネル構造体と、前記パネル構造体を傾斜した状態で支持する架台とを備える太陽電池構造体の冠雪抑制方法であって、
前記架台は、前記パネル構造体を支持する支持面を有し、
前記支持面の傾斜方向下側の端部から、前記太陽電池パネル上の所定の部分までの領域をカバーにより覆うことを含む、太陽電池構造体の冠雪抑制方法。
【請求項１３】
太陽電池パネルを有するパネル構造体と、前記パネル構造体を傾斜した状態で支持する架台とを備える太陽電池構造体の冠雪抑制方法であって、
前記パネル構造体の傾斜方向下側の端面をカバーにより覆うことを含む、太陽電池構造体の冠雪抑制方法。
【請求項１４】
前記カバーにより、前記架台の傾斜方向下側の端面も更に覆う、請求項１２に記載の太陽電池構造体の冠雪抑制方法。
【請求項１５】
前記パネル構造体は更にフレームを備え、
前記太陽電池パネルは前記フレームを介して前記架台に固定されている、請求項１２〜１４のいずれか１項に記載の太陽電池構造体の冠雪抑制方法。
【請求項１６】
前記フレームは、傾斜方向下側の端部において前記太陽電池パネルよりも傾斜面垂直方向上側に突出した突出部を備え、前記カバーにより前記突出部を覆う、請求項１５に記載の太陽電池構造体の冠雪抑制方法。
【請求項１７】
前記カバーはシート状である請求項１２〜１６のいずれか１項に記載の太陽電池構造体の冠雪抑制方法。
【請求項１８】
前記カバーはオイルブリード性を有する請求項１２〜１７のいずれか１項に記載の太陽電池構造体の冠雪抑制方法。
【発明の詳細な説明】
【技術分野】
【０００１】
本発明は、太陽電池構造体及び太陽電池構造体の冠雪抑制方法に関する。
【背景技術】
【０００２】
太陽電池パネルは、通常、傾斜した状態で架台に支持されて屋外に設置される。
このような屋外に設置される太陽電池パネルにおいては、雪により太陽電池パネルが覆われると発電効率が低下するという問題がある。
【先行技術文献】
【特許文献】
【０００３】
【特許文献１】特開２０１７−１０３９７９号公報
【発明の概要】
【発明が解決しようとする課題】
【０００４】
特に、太陽電池パネルやフレーム、架台の傾斜方向下端付近に雪が積もる（冠雪する）と、雪の滑落が妨げられるため、長期間にわたって発電効率が低下することとなる。したがって、雪による発電効率の低下を抑制するには傾斜方向下端付近における冠雪を抑制することが重要となる。
【０００５】
特許文献１では、傾斜方向下端側において太陽電池パネルとフレームの段差を埋めて冠雪を抑制するための、冠雪防止具が開示されている。しかし、特許文献１では、フレームと架台の間の空間が考慮されていないため、この部分で雪が堆積する場合があった。また、かかる冠雪防止具は接着材により傾斜面に固定されるため、材料劣化時の交換が困難な場合があった。
【０００６】
本発明は上記に鑑みて完成されたものであり、太陽電池パネルの冠雪をより抑制することができる太陽電池構造体を提供することを目的とする。
【課題を解決するための手段】
【０００７】
本発明の第１の太陽電池構造体は、太陽電池パネルを有するパネル構造体と、パネル構造体を傾斜した状態で支持する架台とを備える太陽電池構造体であって、架台は、パネル構造体を支持する支持面を有し、太陽電池構造体は、支持面の傾斜方向下側の端部から、太陽電池パネル上の所定の部分までの領域を少なくとも覆うカバーを更に備える。
【０００８】
また、本発明の第２の太陽電池構造体は、太陽電池パネルを有するパネル構造体と、前記パネル構造体を傾斜した状態で支持する架台とを備える太陽電池構造体であって、太陽電池構造体は、パネル構造体の傾斜方向下側の端面を少なくとも覆うカバーを更に備える。
【０００９】
本発明の太陽電池構造体の一態様において、カバーは、架台の傾斜方向下側の端面も更に覆ってもよい。
【００１０】
本発明の太陽電池構造体の一態様において、パネル構造体は更にフレームを備え、太陽電池パネルはフレームを介して架台に固定されていてもよい。
【００１１】
本発明の太陽電池構造体の一態様において、フレームは、傾斜方向下側の端部において太陽電池パネルよりも傾斜面垂直方向上側に突出した突出部を備え、カバーは突出部を覆ってもよい。
【００１２】
本発明の太陽電池構造体の一態様において、カバーは太陽電池構造体に着脱可能に取り付けられていてもよい。
【００１３】
本発明の太陽電池構造体の一態様において、カバーは、更に引掛部を備え、引掛部が太陽電池構造体の所定部分に引っ掛かることにより取り付けられていてもよい。
【００１４】
本発明の太陽電池構造体の一態様において、カバーは、更に嵌込部を備え、前記嵌込部が太陽電池構造体の所定部分に嵌め込まれることにより取り付けられていてもよい。
【００１５】
本発明の太陽電池構造体の一態様において、カバーはシート状であってもよい。
【００１６】
本発明の太陽電池構造体の一態様において、カバーはオイルブリード性を有してもよい。
【００１７】
本発明の太陽電池構造体の一態様において、カバーは、オイル含有層を備えてもよい。
【００１８】
本発明の第１の太陽電池構造体の冠雪抑制方法は、太陽電池パネルを有するパネル構造体と、パネル構造体を傾斜した状態で支持する架台とを備える太陽電池構造体の冠雪抑制方法であって、架台は、パネル構造体を支持する支持面を有し、支持面の傾斜方向下側の端部から、太陽電池パネル上の所定の部分までの領域をカバーにより覆うことを含む、太陽電池構造体の冠雪抑制方法である。
【００１９】
また、本発明の第２の太陽電池構造体の冠雪抑制方法は、太陽電池パネルを有するパネル構造体と、パネル構造体を傾斜した状態で支持する架台とを備える太陽電池構造体の冠雪抑制方法であって、パネル構造体の傾斜方向下側の端面をカバーにより覆うことを含む、太陽電池構造体の冠雪抑制方法である。
【００２０】
本発明の太陽電池構造体の冠雪抑制方法の一態様において、カバーにより、架台の傾斜方向下側の端面も更に覆ってもよい。
【００２１】
本発明の太陽電池構造体の冠雪抑制方法の一態様において、パネル構造体は更にフレームを備え、太陽電池パネルはフレームを介して架台に固定されていてもよい。
【００２２】
本発明の太陽電池構造体の冠雪抑制方法の一態様においては、フレームは、傾斜方向下側の端部において太陽電池パネルよりも傾斜面垂直方向上側に突出した突出部を備え、カバーにより突出部を覆ってもよい。
【００２３】
本発明の太陽電池構造体の冠雪抑制方法の一態様において、カバーはシート状であってもよい。
【００２４】
本発明の太陽電池構造体の冠雪抑制方法の一態様において、カバーはオイルブリード性を有してもよい。
【発明の効果】
【００２５】
本発明の太陽電池構造体は、太陽電池パネルの冠雪を十分に抑制することができる。
【図面の簡単な説明】
【００２６】
【図１】図１は、本発明の第１の太陽電池構造体の一例を示す概略斜視図である。
【図２】図２は、本発明の第１の太陽電池構造体の一例を示す概略側面図である。
【図３】図３は、本発明の第１の太陽電池構造体の一例の傾斜方向下側の端部周辺の拡大図である。
【図４】図４は、図３のＡ−Ａ線における断面図である。
【図５】図５（ａ）は、本発明の第１の太陽電池構造体の一例を示す概略側面図である。図５（ｂ）は、図５（ａ）における傾斜方向に隣り合うパネル構造体の一部を拡大した拡大図である。
【図６】図６は、本発明の第１の太陽電池構造体の第１の変形例における傾斜方向下端付近の断面図である。
【図７】図７は、本発明の第１の太陽電池構造体の第２の変形例における傾斜方向下端付近の断面図である。
【図８】図８は、本発明の第１の太陽電池構造体の第３の変形例における傾斜方向下端付近の断面図である。
【図９】図９は、本発明の第１の太陽電池構造体の第４の変形例における傾斜方向下端付近の断面図である。
【図１０】図１０は、本発明の第１の太陽電池構造体の第５の変形例における傾斜方向下端付近の断面図である。
【図１１】図１１は、本発明の第１の太陽電池構造体の第６の変形例における傾斜方向下端付近の断面図である。
【図１２】図１２は、本発明の第２の太陽電池構造体の一例を示す概略斜視図である。
【図１３】図１３（ａ）は、図１２のＢ−Ｂ線における断面図である。図１３（ｂ）は、図１３（ａ）の傾斜方向下端付近の拡大断面図である。
【図１４】図１４は、本発明の第２の太陽電池構造体の一例を示す傾斜方向下端付近の断面図である。
【図１５】図１５は、実施例において使用した太陽電池構造体の概略図である。
【発明を実施するための形態】
【００２７】
以下、図面を用いて、本発明を実施するための形態について詳述する。なお、本発明は、以下に説明する実施形態に限定されるものではない。また、以下の図面において、同じ作用を奏する部材・部位には同じ符号を付して説明することがあり、重複する説明は省略または簡略化することがある。また、図面に記載の実施形態は、本発明を明瞭に説明するために模式化されており、実際のサイズや縮尺を必ずしも正確に表したものではない。
【００２８】
［第１の太陽電池構造体］
本発明の実施形態に係る第１の太陽電池構造体は、太陽電池パネルを有するパネル構造体と、パネル構造体を傾斜した状態で支持する架台とを備える太陽電池構造体であって、架台は、パネル構造体を支持する支持面を有し、太陽電池構造体は、支持面の傾斜方向下側の端部から、太陽電池パネル上の所定の部分までの領域を少なくとも覆うカバーを更に備える。以下、本発明の実施形態に係る第１の太陽電池構造体について説明する。
【００２９】
図１及び図２は、本実施形態の太陽電池構造体の一例を示す概略図であり、図１は斜視図、図２は側面図である。本実施形態の太陽電池構造体１は、太陽電池パネルを有するパネル構造体２と、パネル構造体２を傾斜した状態で支持する架台３とを備える。また、本実施形態の太陽電池構造体はさらに、太陽電池パネルの冠雪を抑制するためにカバー４を備える。
【００３０】
なお、以下の説明において、図２に示すように、パネル構造体２の傾斜面に沿った方向のことを「傾斜方向」といい、当該方向における上側を「傾斜方向上側」、下側を「傾斜方向下側」ということがある。また、パネル構造体２の傾斜面に垂直な方向を「傾斜面垂直方向」といい、当該方向における上側を「傾斜面垂直方向上側」、下側を「傾斜面垂直方向下側」ということがある。
【００３１】
図３に、図１及び図２に示す例における太陽電池構造体１の、傾斜方向下側の端部周辺の拡大図を示す。また、図４に図３のＡ−Ａ線における断面図を示す。
【００３２】
本実施形態におけるパネル構造体２は、太陽電池パネル５を備える。また、図３に示すように、パネル構造体２は更にフレーム６を備え、太陽電池パネルはフレーム６を介して架台３に固定されていてもよいし、フレーム６を備えていなくてもよい。本実施形態の第１の太陽電池構造体１はパネル構造体２を複数備えてもよく、１つのみ備えてもよい。
【００３３】
本実施形態における太陽電池パネル５の種類や大きさは特に限定されず、設置場所や用途に応じて公知の太陽電池パネルを適宜使用することができる。太陽電池パネル５は、光を受けて発電する採光面が傾斜面垂直方向上側を向くように配置される。パネル構造体２がフレーム６を備える場合、太陽電池パネル５は、１つのフレーム６に対して１つのみ取り付けられてもよく、複数取り付けられてもよい。
【００３４】
パネル構造体２がフレーム６を備える場合において、フレーム６の形状は特に限定されないが、通常は太陽電池パネル５を載置する面（載置面）を有する。また、フレーム６は、図３や図４に示すように、端部（周縁部）において太陽電池パネルよりも傾斜面垂直方向上側に突出した突出部６ａを備えることがある。
【００３５】
架台３は、パネル構造体２を支持する支持面３ａを備える。支持面３ａは水平面に対して傾斜しているため、本実施形態においてパネル構造体２は水平面に対して傾斜した状態で支持される。当該傾斜の角度は特に限定されず、設置場所や周囲の環境等に応じて適宜調整すればよい。架台３の構造は特に限定されず、設置場所や用途に応じて公知の太陽電池構造体用の架台を適宜使用することができる。架台３は、適宜公知の手段により地面や屋根などの設置場所に取り付けられる。
【００３６】
架台３の支持面３ａは、パネル構造体２（パネル構造体２が複数ある場合は、これらにより構成されるパネル構造体群）より一回り大きく形成されている場合がある。この場合、太陽電池構造体１を傾斜面垂直方向上側からみると、架台３の支持面３ａが、フレーム６の傾斜方向下側の端面６ｂより傾斜方向下側に延出しており、この延出した部分には通常雪が積もりやすい。この部分に積もった雪は、太陽電池パネル５上に積もった雪の滑落を妨げ、長期間にわたって発電効率を低下させる。
【００３７】
また、吹雪などの場合には、フレーム６の傾斜方向下側の端面６ｂや架台３の傾斜方向下側の端面３ｂに着雪し、これが例えば傾斜方向上側に沿って成長する場合がある。この着雪は上述のように架台３の支持面３ａが、フレーム６の傾斜方向下側の端面６ｂより傾斜方向下側に延出している場合にも、そうでない場合にも生じうる。これらの端面への着雪も、太陽電池パネル５上に積もった雪の滑落を妨げ、長期間にわたって発電効率を低下させる。
【００３８】
さらに、上述のとおり、フレーム６が端部（周縁部）に突出部６ａを備える場合、この突出部と太陽電池パネル５との間に段差ができる。そのため、特に傾斜方向下側の端部の突出部と太陽電池パネルの間の段差に雪が積もりやすい。この段差への積雪は、上述のように架台３の支持面３ａが、フレーム６の傾斜方向下側の端面６ｂより傾斜方向下側に延出している場合にも、そうでない場合にも生じうる。この段差に積もった雪も、太陽電池パネル５上に積もった雪の滑落を妨げ、長期間にわたって発電効率を低下させる。
【００３９】
本実施形態においては、少なくとも支持面３ａの傾斜方向下側の端部Ｘから、太陽電池パネル上の所定の部分Ｙまでの領域を覆うカバー４を設けることにより、架台３の支持面３ａの延出した部分への冠雪や、フレーム６や架台３の傾斜方向下側の端面６ｂ及び３ｂへの着雪、フレーム６の傾斜方向下側の突出部と太陽電池パネル５との間の段差への冠雪を抑制している。以下、カバー４について詳細に説明する。
【００４０】
カバー４の形状は特に限定はされないが、運搬が容易であることや、軽量であることから、シート状であることが好ましい。カバー４に用いられる材料は、特に限定はされないが、例えば、フィルムや、ゴム材等の樹脂材料、及び金属、ないしこれらの成形物が挙げられる。
【００４１】
カバー４を取り付ける方法は特に限定されず、カバー４の形状や材質に応じて任意の方法を選択すればよい。例えば、粘着剤や粘着テープによる貼付、及びネジ等による係止等の方法が挙げられる。また、カバー４がゴム材等の弾性を有する材料で形成されている場合は、カバー４が有する弾性力を利用し、支持面３ａの傾斜方向下側の端部Ｘから、太陽電池パネル上の所定の部分Ｙまでを挟み込むようにして取り付けることもできる。
【００４２】
カバー４は、太陽電池構造体に着脱可能に取り付けられていることが好ましい。また、カバー４は、太陽電池構造体に簡易に取り付け、及び簡易に取り外しができる態様であることがより好ましい。かかる態様であれば、カバー４の交換、修理、あるいは後述するオイル含有層の交換等が容易となる。
【００４３】
カバーを簡易に取り付け、及び簡易に取り外しができる態様としては、例えば、後述するカバーの引掛部を太陽電池構造体の所定部分（例えば、フレームの突出部）に引っ掛けることで、カバーを太陽電池構造体に取り付ける態様が挙げられる。
【００４４】
本態様によれば、カバー取り付け時には、引掛部が太陽電池構造体の所定部分に引っ掛かるため、単にカバーを置くだけで容易に取り付けることができる。またカバー取り外し時には、単にカバーを持ち上げるだけで容易に取り外すことができる。
【００４５】
カバーを簡易に取り付け、及び簡易に取り外しができる別の態様としては、例えば、後述するカバーの嵌込部を太陽電池構造体の所定部分（例えば、フレームの突出部）に嵌め込むことで、カバーを太陽電池構造体に取り付ける態様が挙げられる。
本態様によれば、カバー取り付け時には、嵌込部を太陽電池構造体の所定部分に嵌め込むだけでよく、容易に取り付けることができる。また、嵌込部全体で太陽電池構造体の所定部分を挟み込むことにより、カバーが太陽電池構造体に適度な力で保持され、かつ取り外しも容易に行うことができる。
【００４６】
また、本態様によれば、粘着剤や粘着テープによる貼付や、ネジ等による係止等を行わなくとも、カバーを太陽電池構造体に簡易に取り付けることができ、かつ簡易に取り外し可能となる。なお、本態様においても、粘着剤や粘着テープによる貼付や、ネジ等による係止等により、カバーを太陽電池構造体に取り付けてもよい。
【００４７】
また、別の態様として、カバーが上記引掛部や嵌込部を有さなくとも、可剥離性の粘着剤や粘着テープ等により、カバーを太陽電池構造体に取り付けてもよい。可剥離性の粘着剤や粘着テープ等を用いることで、カバーを太陽電池構造体に容易に取り付けることができるし、粘着剤や粘着テープ等が剥離可能であるため容易に取り外しもできる。
【００４８】
本実施形態において、カバー４はオイルブリード性を有することが好ましい。カバー４はオイルブリード性を有することにより、特に冠雪防止の効果が高くなる。オイルブリード性とは、オイルを保持し、そのオイルを徐々に表面に放出させる性質をいう。オイルブリード性を有するカバー４の表面は常にオイルで覆われた状態に保たれるため、雪や氷が付着しにくくなる。したがってこのようなカバー４を用いることで、冠雪を特に抑制することができる。
【００４９】
カバー４がオイルブリード性を有する態様としては、例えば、カバー４がその表面上にオイル含有層を備える態様が挙げられる。
オイル含有層は、例えば、樹脂前駆体とオイル成分とを混合して得られる塗料を、カバー４の表面上に塗布し、これを硬化させて得られる。あるいは、ＰＥＴフィルム等の基材上に上記塗料からなるオイル含有層が形成されたフィルムを、カバー４の表面上に張り付けることによって得てもよい。
このようなカバー４では、オイル成分がその表面に徐々に染みだす。
【００５０】
樹脂前駆体としては、例えばジメチルポリシロキサンゴム等の熱硬化性のゴムが挙げられる。
【００５１】
オイル成分としては、例えばシリコーンオイル、フッ素オイル、炭化水素系オイル、ポリエーテル系オイル、エステル系オイル、リン化合物系オイル、鉱油系オイル等が挙げられる。中でも着雪着氷防止効果およびブリード効果の観点から、シリコーンオイルが好ましい。オイル成分として、単独のオイルを用いてもよく、２種以上のオイルを混合して用いてもよい。
【００５２】
オイル含有層は、オイル成分がその表面に染みだすことにより、徐々にオイル含有層内のオイル成分が減少し、経時的にオイルブリード性が悪くなる。そのため、オイルブリード性が悪化した等の任意のタイミングで、太陽電池構造体からカバー４を取り外し、カバー４あるいはオイル含有層を交換する必要がある。したがって、オイルブリード性を有するカバー４を用いる場合は、上述したとおり、太陽電池構造体に着脱可能な態様であることが好ましく、簡易に取り付け、及び取り外しができる態様であることが特に好ましい。
【００５３】
本実施形態において、太陽電池構造体１が傾斜方向において複数のパネル構造体２を備える場合、即ち、複数行のパネル構造体２を備える場合は、太陽電池パネル上の所定の部分Ｙとは、傾斜方向において最も下側のパネル構造体の太陽電池パネル上の所定の部分を意味する。
【００５４】
また、太陽電池構造体１が傾斜方向において複数のパネル構造体２を備える場合において、図５（ａ）、（ｂ）に示すように、傾斜方向に隣り合うパネル構造体のうち、傾斜方向上側のパネル構造体における下端側の所定の部分Ｐから、傾斜方向下側のパネル構造体における上端側の所定の部分Ｐ’にわたって、さらにカバー４ａを設けることが好ましい。すなわち、傾斜方向に隣り合うパネル構造体の間（隙間）を覆うようカバー４ａを設けることが好ましい。所定の部分Ｐ及びＰ’は、図５（ｂ）に示すように、太陽電池パネル上の所定の部分であってもよいし、パネル構造体２がフレームを有する場合は、フレーム上の所定の部分であってもよい（図示せず）。また、図５（ａ）に示すように、カバー４ａは複数箇所のパネル構造体の間（隙間）を覆っていてもよい。カバー４ａは上述したカバー４と同様のものを用いることができる。
これにより、傾斜方向に隣り合うパネル構造体の間に雪が積もることを抑制でき、より滑雪性が向上する。
【００５５】
また、太陽電池構造体１が支持面３ａに平行かつ傾斜面垂直方向に垂直な方向（即ち、図２において紙面に垂直な方向）において複数のパネル構造体２を備える場合、即ち複数列のパネル構造体２を備える場合は、全ての列のパネル構造体２がカバー４を備えることが好ましい。
【００５６】
以下に、カバーの構成について、本実施形態の変形例を挙げてより詳細に説明する。
【００５７】
図６に本実施形態の第１の変形例における太陽電池構造体１１の傾斜方向下端付近の断面図を示す。本実施形態において、カバー１４はシート状である。
【００５８】
図６に示す例は、架台１３の支持面１３ａが、フレーム１６の傾斜方向下側の端面１６ｂより傾斜方向下側に延出しており、カバー１４が支持面１３ａの傾斜方向下側の端部Ｘから、太陽電池パネル１５上の所定の部分Ｙまでの領域を覆っている例である。
【００５９】
本例のように架台１３の支持面１３ａが、フレーム１６の傾斜方向下側の端面１６ｂより傾斜方向下側に延出していると、この部分に雪が積もりやすい。しかし、本例ではこの部分がカバー１４で覆われており、この部分を覆うカバー１４の傾斜が支持面１３ａの傾斜より大きくなるので、この部分に雪が積もりにくい。
【００６０】
また、本例においては、フレーム１６の傾斜方向下側の端面１６ｂがカバー１４により覆われることとなるため、吹雪などの場合においてもこの端面１６ｂに着雪する恐れがない。
【００６１】
さらに、本例においてはフレーム１６の傾斜方向下側の突出部１６ａと太陽電池パネル１５の間の段差もカバー１４で覆われることとなるため、この段差にも雪が積もりにくい。
【００６２】
したがって、本例の構成では太陽電池パネル１５に積もった雪が滑落しやすくなっている。
【００６３】
図７に本実施形態の第２の変形例における太陽電池構造体２１の傾斜方向下端付近の断面図を示す。本実施形態において、カバー２４はシート状である。
【００６４】
図７に示す例は、架台２３の支持面２３ａが、フレーム２６の傾斜方向下側の端面２６ｂより傾斜方向下側に延出しておらず、カバー２４が支持面２３ａの傾斜方向下側の端部Ｘから、太陽電池パネル２５上の所定の部分Ｙまでの領域を覆っている例である。
【００６５】
本例のように架台２３の支持面２３ａが、フレーム２６の傾斜方向下側の端面２６ｂより傾斜方向下側に延出していなくても、フレーム２６の傾斜方向下側の端面２６ｂへの着雪や、フレーム２６の傾斜方向下側の突出部２６ａと太陽電池パネル２５の間の段差の冠雪により、太陽電池パネル２５に積もった雪の滑落が妨げられる場合がある。
【００６６】
しかし、本例においては、フレーム２６の傾斜方向下側の端面２６ｂがカバー２４により覆われることとなるため、吹雪などの場合においてもこの端面２６ｂに着雪する恐れがない。
【００６７】
さらに、本例においてはフレーム２６の傾斜方向下側の突出部２６ａと太陽電池パネル２５の間の段差もカバー２４で覆われることとなるため、この段差にも雪が積もりにくい。
【００６８】
したがって、本例の構成では太陽電池パネル２５に積もった雪が滑落しやすくなっている。
【００６９】
図４に示す例においては、カバー４は同じくシート状である。
図４に示す例は、架台３の支持面３ａが、フレーム６の傾斜方向下側の端面６ｂより傾斜方向下側に延出しており、カバー４が太陽電池パネル５上の所定の部分Ｙから支持面３ａの傾斜方向下側の端部Ｘまでの領域を覆い、さらに架台３の傾斜方向下側の端面３ｂも覆っている例である。
【００７０】
このような構成とすると、上述の第１の変形例の効果に加え、さらに架台３の傾斜方向下側の端面３ｂへの着雪も抑制されるため、特に好ましい。
【００７１】
図８に本実施形態の第３の変形例における太陽電池構造体３１の傾斜方向下端付近の断面図を示す。本実施形態において、カバー３４はシート状である。
【００７２】
図８に示す例は、架台３３の支持面３３ａが、フレーム３６の傾斜方向下側の端面３６ｂより傾斜方向下側に延出しておらず、カバー３４が太陽電池パネル３５上の所定の部分Ｙから支持面３３ａの傾斜方向下側の端部Ｘまでの領域を覆い、さらに架台３３の傾斜方向下側の端面３３ｂも覆っている例である。
【００７３】
このような構成とすると、上述の第２の変形例の効果に加え、さらに架台３３の傾斜方向下側の端面３３ｂへの着雪も抑制されるため、特に好ましい。
【００７４】
また、カバーは必ずしもシート状でなくてもよい。図９にシート状でないカバーを用いた第４の変形例を示す。本変形例においては、カバー４４は図９に示すような断面形状を有する柱状の部材であり、支持面４３ａの傾斜方向下側の端部Ｘから太陽電池パネル４５上の所定の部分Ｙまでの領域を覆うように配置される。
【００７５】
図１０に本実施形態の第５の変形例における太陽電池構造体５１の傾斜方向下端付近の断面図を示す。本変形例においては、図６に示す第１の変形例において、さらにカバー５４が引掛部５４ａを備える例である。上記カバー５４は、引掛部５４ａを備えることにより、フレームの突出部５６ａにカバーを引っ掛けることができる。引掛部５４ａがフレームの突出部５６ａに引っ掛かることにより、カバー５４が太陽電池構造体５１に取り付けられる。そのため、粘着剤や粘着テープによる貼付や、ネジ等による係止等を行わなくとも、カバー５４を太陽電池構造体５１に簡易に取り付けることができ、かつ簡易に取り外しができる。
【００７６】
なお、図１０では、架台５３の支持面５３ａが、フレーム５６の傾斜方向下側の端面５６ｂより傾斜方向下側に延出し、かつ、カバー５４が支持面５３ａの傾斜方向下側の端部Ｘから、太陽電池パネル５５上の所定の部分Ｙまでの領域を覆っている例を示しているが、カバーの設置態様はこれに限定されない。すなわち、カバー５４が引掛部５４ａを備え、フレームの突出部に引っ掛かる態様であれば、カバーの設置態様に限定は無い。例えば、図４や図８に示すように架台の傾斜方向下側の端面を覆っていてもよく、図７や図８に示すように、架台の支持面が、フレームの傾斜方向下側の端面より傾斜方向下側に延出していなくてもよい。
【００７７】
また、上記では引掛部５４ａをフレーム５６の突出部５６ａに引っ掛ける態様について説明したが、引掛部５４ａを引っ掛ける対象は突出部５６ａに限定されず、本発明の効果を妨げない限りは、太陽電池構造体５１が備える別の部材に引っ掛けてもよい。
【００７８】
図１１に本実施形態の第６の変形例における太陽電池構造体６１の傾斜方向下端付近の断面図を示す。本変形例においては、図６に示す第１の変形例において、さらにカバー６４が嵌込部６４ａを備える例である。上記カバー６４は、嵌込部６４ａを備えることにより、フレームの突出部６６ａにカバーを嵌め込むことができる。嵌込部６４ａがフレームの突出部６６ａに嵌め込まれることにより、カバー６４が太陽電池構造体６１に取り付けられる。嵌込部６４ａは、フレームの突出部６６ａの形状に合わせて形成されることができ、粘着剤や粘着テープによる貼付や、ネジ等による係止等を行わなくとも、カバー６４を太陽電池構造体６１に簡易に取り付けることができる。また、嵌込部６４ａ全体で太陽電池構造体６１の所定部分を挟み込むことにより、カバー６４が太陽電池構造体６１に適度な力で保持され、かつ取り外しも容易に行うことができる。
【００７９】
なお、図１１では、架台６３の支持面６３ａが、フレーム６６の傾斜方向下側の端面６６ｂより傾斜方向下側に延出し、かつ、カバー６４が支持面６３ａの傾斜方向下側の端部Ｘから、太陽電池パネル６５上の所定の部分Ｙまでの領域を覆っている例を示しているが、カバーの設置態様はこれに限定されない。すなわち、カバー６４が嵌込部６４ａを備え、フレームの突出部に嵌め込まれる態様であれば、カバーの設置態様に限定は無い。例えば、図４や図８に示すように架台の傾斜方向下側の端面を覆っていてもよく、図７や図８に示すように、架台の支持面が、フレームの傾斜方向下側の端面より傾斜方向下側に延出していなくてもよい。
【００８０】
また、上記では嵌込部６４ａをフレーム６６の突出部６６ａに嵌め込む態様について説明したが、嵌込部６４ａを嵌め込む対象は突出部６６ａに限定されず、本発明の効果を妨げない限りは、太陽電池構造体６１が備える別の部材に嵌め込んでもよい。
【００８１】
［第１の太陽電池構造体の冠雪防止方法］
本発明の第１の実施形態に係る太陽電池構造体の冠雪防止方法（以下単に「第１の実施形態の方法」ともいう）は、太陽電池パネルを有するパネル構造体と、パネル構造体を傾斜した状態で支持する架台とを備える太陽電池構造体の冠雪抑制方法であって、架台は、パネル構造体を支持する支持面を有し、支持面の傾斜方向下側の端部から、太陽電池パネル上の所定の部分までの領域をカバーにより覆うことを含む、太陽電池構造体の冠雪抑制方法である。
【００８２】
第１の実施形態の方法におけるパネル構造体、架台、カバー、太陽電池パネル、及びフレームについては、上述の本実施形態の第１の太陽電池構造体におけるパネル構造体、架台、カバー、太陽電池パネル、及びフレームと同様である。
【００８３】
［第２の太陽電池構造体］
本発明の実施形態に係る第２の太陽電池構造体は、太陽電池パネルを有するパネル構造体と、パネル構造体を傾斜した状態で支持する架台とを備え、パネル構造体の傾斜方向下側の端面を少なくとも覆うカバーを更に備える。以下、本発明の実施形態に係る第２の太陽電池構造体について説明する。
【００８４】
図１２及び図１３（ａ）、（ｂ）は、本実施形態の第２の太陽電池構造体７１の一例を示す概略図である。図１２は斜視図、図１３（ａ）は図１２のＢ−Ｂにおける断面図、図１３（ｂ）は、図１３（ａ）の傾斜方向下側の拡大断面図である。本実施形態の太陽電池構造体７１は、太陽電池パネルを有するパネル構造体７２と、パネル構造体７２を傾斜した状態で支持する架台７３とを備える。また、本実施形態の太陽電池構造体７１は太陽電池パネルの冠雪を抑制するため、さらに、パネル構造体７２の傾斜方向下側の端面７２ａを少なくとも覆うカバー７４を備える。
【００８５】
図１２及び図１３（ａ）、（ｂ）に示すように、パネル構造体７２上に段差等が存在しない場合でも、例えば、パネル構造体７２の傾斜角度が小さい場合には、傾斜方向下側の端面７２ａ及びその付近に着雪し、これが例えば傾斜方向上側に沿って成長する場合がある。このような場合でも、本実施形態は、パネル構造体７２の傾斜方向下側の端面７２ａがカバー７４で覆われていることにより、そこが滑雪の起点となり着雪や雪の成長を防ぐことができる。
【００８６】
パネル構造体７２については、上記第１の太陽電池構造体で説明したパネル構造体と同様である。パネル構造体は上記フレームを有していてもよいし、有していなくてもよい。
【００８７】
架台７３は、パネル構造体７２を支持する支持部材７７を備える。図１２では、パネル構造体７２それぞれ２本の棒状の支持部材で支持されているが、その形態は特に限定されず、支持部材７７はパネル構造体７２を傾斜した状態で支持していればよい。そのため、上記第１の太陽電池構造体で説明したものと同様に面（支持面）を形成していてもよいし、例えば図１２、図１３（ａ）、（ｂ）に示す梯子状のように、面（支持面）を形成していなくてもよい。
【００８８】
支持部材７７は水平面に対して傾斜している。したがって、本実施形態においてパネル構造体７２は水平面に対して傾斜した状態で支持される。当該傾斜の角度は特に限定されず、設置場所や周囲の環境等に応じて適宜調整すればよい。架台７３の構造は特に限定されず、設置場所や用途に応じて公知の太陽電池構造体用の架台を適宜使用することができる。架台７３は、適宜公知の手段により地面や屋根などの設置場所に取り付けられる。
【００８９】
カバー７４は、パネル構造体７２の傾斜方向下側の端面７２ａを少なくとも覆っている。具体的な態様としては、例えば、図１３（ｂ）に示すように、パネル構造体７２における傾斜面垂直方向上側の面の所定の部分Ｚから、傾斜面垂直方向下側の面の所定の部分Ｚ’までカバー７４が備えられることにより、端面７２ａを覆う態様が挙げられる。
【００９０】
カバー７４の形状は、端面７２ａを覆う限りにおいては特に制限されるものではない。例えば、図１３（ｂ）に示すようにシート状のカバー７４で端面７２ａを覆っていてもよいし、図９に示すような柱状の部材で形成されたカバー７４で端面７２ａを覆っていてもよい。また、カバー７４は、滑雪が生じやすいよう、図１３（ｂ）に示すような傾斜面Ｃを有していることが好ましい。かかる傾斜面Ｃの傾斜角度は、パネル構造体７２の傾斜角度よりも大きい方が、滑雪効果が高くなるため好ましい。
【００９１】
カバー７４が、パネル構造体７２の傾斜方向下側の端面７２ａを少なくとも覆うことにより、パネル構造体７２の傾斜方向下側の端面７２ａ及びその付近に着雪し、成長することを防ぐことができる。すなわち、パネル構造体７２上に段差等が存在せずとも、パネル構造体７２の傾斜角度が小さい場合には、傾斜方向下側の端面７２ａ及びその付近に雪が積もりやすいところ、パネル構造体７２の傾斜方向下側の端面７２ａがカバー７４に覆われていることにより、そこが滑雪の起点となり着雪や雪の成長を防ぐことができる。
【００９２】
カバー７４は、上記第１の太陽電池構造体で説明したものと同様のものを使用できる。
【００９３】
以下、本発明の実施形態に係る第２の太陽電池構造体のうち、パネル構造体がフレームを有する場合について、例を挙げて説明する。
【００９４】
図１４に、本実施形態に係る第２の太陽電池構造体８１の傾斜方向下端付近の断面図を示す。図１４に示すとおり、パネル構造体８２は、架台が備える支持部材８７により、傾斜した状態で支持されている。パネル構造体８２は、太陽電池パネル８５とフレーム８６からなり、フレーム８６の下面が支持部材８７により支持されている。
【００９５】
カバー８４は、太陽電池パネル８５の傾斜面垂直方向上側の面の所定部分Ｚから、フレーム８６の傾斜面垂直方向下側の面の所定部分Ｚ’まで備えられている。これにより、端面８２ａはカバー８４に覆われている。例えば、カバー８４がゴム材等の弾性を有する材料で形成されている場合は、カバー８４が有する弾性力を利用して、太陽電池パネル８５及び／又はフレーム８６の傾斜面垂直方向上側と、フレーム８６の傾斜面垂直方向下側とを挟み込むようにして、端面８２ａを覆ってもよい。なお、図１４には示していないが、カバー８４は、図１０に示すような引掛部を備えることにより、フレームの突出部８６ａに引っ掛けてもよいし、図１１に示すような嵌込部を備えることにより、フレームの突出部８６ａに嵌め込んでもよい。
【００９６】
カバー８４が、パネル構造体８２の傾斜方向下側の端面８２ａを覆うことにより、パネル構造体８２の傾斜方向下側の端面８２ａ及びその付近に着雪し、成長することを防ぐことができる。また、カバー８４は、パネル構造体８２の傾斜角度よりも大きい傾斜角度を有する傾斜面Ｃを有しているため、滑雪効果が高くなる。また、必要に応じてカバー８４はオイルブリード性を有することにより、冠雪防止の効果をさらに向上できる。
【００９７】
また、図５（ａ）、（ｂ）に示すように、太陽電池構造体８１が傾斜方向において複数のパネル構造体８２を備える場合において、傾斜方向に隣り合うパネル構造体のうち、傾斜方向上側のパネル構造体における下端側の所定の部分から、傾斜方向下側のパネル構造体における上端側の所定の部分にわたって、さらにカバーを設けてもよい。これにより、傾斜方向に隣り合うパネル構造体の間に雪が積もることを抑制でき、冠雪防止の効果をさらに向上できる。
【００９８】
［第２の太陽電池構造体の冠雪防止方法］
本発明の第２の実施形態に係る太陽電池構造体の冠雪防止方法（以下単に「第２の実施形態の方法」ともいう）は、太陽電池パネルを有するパネル構造体と、パネル構造体を傾斜した状態で支持する架台とを備える太陽電池構造体の冠雪抑制方法であって、パネル構造体の傾斜方向下側の端面をカバーにより覆うことを含む、太陽電池構造体の冠雪抑制方法である。
【００９９】
第２の実施形態の方法におけるパネル構造体、架台、カバー、及び太陽電池パネルについては、上述の本実施形態の第２の太陽電池構造体におけるパネル構造体、架台、カバー、及び太陽電池パネルと同様である。
【実施例１】
【０１００】
以下、実施例を挙げて本発明を具体的に説明するが、本発明は実施例に限定されない。
【０１０１】
（例１）
図１５に示すような４行×８列以上のパネル構造体１０２を有する太陽電池構造体１０１の、傾斜方向下側から見て一番右の列の、傾斜方向で一番下の行のパネル構造体を、図４に示すようにカバーで覆った。カバーとしては、以下のようにして製造したオイルブリード性のシートＡを用いた。なお、シートＡのオイル含有樹脂層が外側になるようにして覆った。
【０１０２】
（シートＡの製造方法）
樹脂前駆体として、熱硬化性のジメチルポリシロキサンゴム（信越シリコーン社製、ＫＥ−１９５０−Ａ／Ｂ）、第１オイル成分として、ジメチルシロキサンオイル（信越シリコーン社製、品番ＫＦ−９６―５０ＣＳ）、第２オイル成分として、メチルフェニルシロキサンオイル（モメンティブ社製、ＴＳＦ４３７）を用意した。これらを均一になるまで撹拌し塗料を得た。
なお、樹脂前駆体と、第１オイル成分と第２オイル成分との配合比率は、最終的に得られるオイル含有樹脂層において、樹脂成分が４０質量％、第１オイル成分が３６質量％、第２オイル成分が２４質量％となるように調整した。
得られた塗料を、アイオノマーフィルム（ハイミラン１８５５、三井デュポン社、倉敷紡績社製）上に塗布し、１５０℃環境下において１０分間加熱硬化させることによって、フィルム上に厚さ約２５０μｍのオイル含有樹脂層が形成されたシートを得た。さらにこのシートのアイオノマーフィルム側に粘着剤（ＣＳ９８６２、日東電工社製）を貼り合わせ、被着体に貼り付け可能な構成とし、シートＡを得た。
【０１０３】
（例２）
同太陽電池構造体の、傾斜方向下側から見て右から２番目の列の、傾斜方向で一番下の行のパネル構造体には、カバーをかけなかった。
【０１０４】
（例３）
同太陽電池構造体の、傾斜方向下側から見て右から３番目の列の、傾斜方向で一番下の行のパネル構造体を、図４に示すようにカバーで覆った。カバーとしては、ウレタン樹脂シート（日本マタイ社製「ＵＲＳ  ＰＸ−ＩＩ＃１０」（商品名）、厚み０．１ｍｍ）にシートＡと同様に粘着剤を貼り合わせ、被着体に貼り付け可能な構成としたシートＢを用いた。
【０１０５】
（例４）
同太陽電池構造体の、傾斜方向下側から見て右から４番目の列の、傾斜方向で一番下の行のパネル構造体を、図４に示すようにカバーで覆った。カバーとしては、ＰＥＴフィルム（ルミラー１２５Ｓ１０  厚み１２５μｍ、東レ株式会社製）にシートＡと同様に粘着剤を貼り合わせ、被着体に貼り付け可能な構成としたシートＣを用いた。
【０１０６】
（例５）
同太陽電池構造体の、傾斜方向下側から見て右から５番目の列の、傾斜方向で一番下の行のパネル構造体を、図４に示すようにカバーで覆った。カバーとしては、粘着剤層を備えるフッ素テープ（ニトフロン、ＮＯ．９０３０ＵＬ、日東電工株式会社製）を用いた。
【０１０７】
（例６）
同太陽電池構造体の、傾斜方向下側から見て右から６番目の列の、傾斜方向で一番下の行のパネル構造体を、図４に示すようにカバーで覆った。カバーとしては、アイオノマーフィルム（ハイミラン１８５５、三井デュポン社、倉敷紡績社製）にシートＡと同様に粘着剤を貼り合わせ、被着体に貼り付け可能な構成としたシートＤを用いた。
【０１０８】
（例７）
同太陽電池構造体の、傾斜方向下側から見て右から７番目の列の、傾斜方向で一番下の行のパネル構造体には、カバーをかけなかった。
【０１０９】
（冠雪抑制性能の検証）
当該太陽電池構造体を屋外に設置し、積雪の滑落の状況を観察したところ、例１、３〜６の列では太陽電池構造体上に降った雪が滑落していた。一方、例２、７の列では、太陽電池構造体上に降った雪が滑落していなかった。
【符号の説明】
【０１１０】
１、１１、２１、３１、４１、５１、６１、７１、８１、１０１：太陽電池構造体
２、１２、２２、３２、４２、５２、６２、７２、８２、１０２：パネル構造体
３、１３、２３、３３、４３、５３、６３、７３：架台
３ａ、１３ａ、２３ａ、３３ａ、４３ａ、５３ａ、６３ａ：支持面
３ｂ、３３ｂ、５３ｂ、６３ｂ：架台の傾斜方向下側の端面
４、４ａ、１４、２４、３４、４４、５４、６４、７４、８４：カバー
５４ａ：引掛部
６４ａ：嵌込部
５、１５、２５、３５、４５、５５、６５、８５：太陽電池パネル
６、１６、２６、３６、４６、５６、６６、８６：フレーム
６ａ、１６ａ、２６ａ、３６ａ、５６ａ、６６ａ、８６ａ：突出部
６ｂ、１６ｂ、２６ｂ、３６ｂ、５６ｂ、６６ｂ：フレームの傾斜方向下側の端面
７２ａ、８２ａ：パネル構造体の傾斜方向下側の端面
７７、８７：支持部材
Ｘ：支持面の傾斜方向下側の端部
Ｙ：太陽電池パネル上の所定の部分
Ｚ：パネル構造体における傾斜面垂直方向上側の面の所定の部分
Ｚ’：パネル構造体における傾斜面垂直方向下側の面の所定の部分
【図１】
2020167931.tif 000003
【図２】
2020167931.tif 000004
【図３】
2020167931.tif 000005
【図４】
2020167931.tif 000006
【図５】
2020167931.tif 000007
【図６】
2020167931.tif 000008
【図７】
2020167931.tif 000009
【図８】
2020167931.tif 000010
【図９】
2020167931.tif 000011
【図１０】
2020167931.tif 000012
【図１１】
2020167931.tif 000013
【図１２】
2020167931.tif 000014
【図１３】
2020167931.tif 000015
【図１４】
2020167931.tif 000016
【図１５】
2020167931.tif 000017